(57)【要約】【課題】操作者が操作するために用する時間への依存を伴うことなくスイッチ要素そのものの作動を保証するスイッチ要素を作動させるための装置を提供する。【解決手段】本発明はスイッチ要素（２）を作動させるための装置に関連しており、操作手段（３）が、傾斜要素（１６）に作用して傾斜要素がスイッチ要素（２）を中立位置から傾斜位置に即時に移動させるために設けられている。操作手段（３）は、ハウジングに枢転可能に取り付けられており、ばね手段（１５）によって傾斜部材（１６）に向けてバイアスされた圧力部材（６）を含む。傾斜部材（１６）は、傾斜縁端（２０）に関して中立位置から傾斜位置に傾斜されるように適応されている。【選択図】図１
2008288206.tif 000002
【特許請求の範囲】
【請求項１】
スイッチ要素（２）を作動させるための装置であって、操作手段（３）とスイッチ要素（２）がハウジングに配設されており、操作手段（３）はスナップオーバ傾斜部材（１６）に作用してスイッチ要素（２）を即時に作動させるためにスナップオーバ傾斜部材を中立位置から傾斜位置へ移動させることを特徴とする、装置。
【請求項２】
操作手段（３）は、回転軸（４）に対して回転可能にハウジングに取り付けられており、傾斜部材（１６）に向けてばね要素（１５）によってバイアスされた圧力部材（６）を含むことを特徴とする請求項１に記載の装置。
【請求項３】
圧力部材（６）は、操作手段（３）のガイドスリーブ（５）内部に配設されており、ばね要素（１５）は、操作手段（３）に対して作用する端部と、圧力部材（６）に対して作用するもう一方の端部とを有する圧縮ばねの形態であることを特徴とする、請求項２に記載の装置。
【請求項４】
傾斜部材（１６）は圧力部材の傾斜部材（１６）に面する端部に係合するくぼみ部分（１８）が形成されており、傾斜部材（１６）は、圧力部材（６）の端部分がくぼみ（１８）と係合した時に中立位置をとり、操作手段（３）が回転するにつれて端部分がくぼみ部分（１８）から所定の距離だけ移動して傾斜位置に達するようにして支持されていることを特徴とする請求項２又は３に記載の装置。
【請求項５】
傾斜部材（１６）はその中立位置におけるくぼみ部分（１８）がホルダ（１７）の受入れ開口（１９）に突出するような様態でホルダ（１７）に支持されており、ナイフ状傾斜縁端（２０）が受入れ開口（１９）の少なくとも一方の側に設けられており、傾斜部材（１６）は傾斜縁端（２０）に対して中立位置から傾斜位置に即時に傾斜可能であることを特徴とする請求項４に記載の装置。
【請求項６】
傾斜位置における傾斜部材（１６）のための支持手段は、受入れ開口（１９）から離れるように向いている縁端（２０）の側に傾斜部分が設けられていることを特徴とする請求項５に記載の装置。
【請求項７】
前記支持手段は傾斜縁端（２０）に隣接する斜面（２３）の形態であることを特徴とする請求項６に記載の装置。
【請求項８】
圧力部材（６）の端部分は傾斜部材（１６）のくぼみ部分（１８）に突出するローラ（１４）を有するか、又は代替として前記端部分はくぼみ（１８）の形状と一致するように丸められていることを特徴とする請求項４〜７のいずれかに記載の装置。
【請求項９】
圧力部材（６）は、傾斜部材（１６）から離れた面に、ガイドスリーブ（５）の内壁面と摺動可能に係合する突起（７）を有することを特徴とする請求項３〜８のいずれかに記載の装置。
【請求項１０】
ガイドスリーブ（５）は、傾斜部材（１６）を向いている側に、中立部分において圧力部材（６）の外壁面と係合する突起（９）を有することを特徴とする請求項３〜９のいずれかに記載の装置。
【請求項１１】
圧力部材（６）は、中立状態においてガイドスリーブ（５）の突起（９）の高さの下方に存在する肩部（９）を有しており、前記肩部（９）は径縮小延長部分（８）に向けて延びており、それにより圧力部材（６）がガイドスリーブ（５）内へ移動し、肩部（９）が突起（８）の上方に位置した時に、傾斜端（２０）に対し横方向にガイドスリーブ（５）内部で圧力部材（６）の移動が可能になることを特徴とする、請求項１０に記載の装置。
【請求項１２】
傾斜部材は、傾斜位置において傾斜縁端（２０）から離れて向いている側がその傾斜位置においてスイッチ要素（２）を作動させる板の形態であることを特徴とする請求項１〜１１のいずれかに記載の装置。
【発明の詳細な説明】
【技術分野】
【０００１】
本発明は、特許請求項１の特徴を記述している前の部分に述べた通りスイッチ要素を作動させるための装置に関する。操作手段とスイッチ要素がハウジングに配設されたスイッチ要素を作動させるための装置であって、ており
【背景技術】
【０００２】
スイッチ要素又は回路が操作者によって作動させられる時、スイッチ要素における切換えプロセスそのものは、しばしば、使用者がスイッチ要素を操作する速度に依存する。スイッチング要素の多様な用途において、この時間依存性は重大となることがある。
【発明の開示】
【発明が解決しようとする課題】
【０００３】
本発明の基礎をなしている目的は、操作者が操作するために用する時間への依存を伴うことなくスイッチ要素そのものの作動を保証するスイッチ要素を作動させるための装置を提供することである。
【課題を解決するための手段】
【０００４】
この目的は、特許請求項１において記述された特徴を有するスイッチ要素を作動させるための装置によって達成される。
【０００５】
本発明の本質的な長所は、スイッチ要素そのものが、使用者が操作要素に加える時間へ依存せずに作動させられるということである。すなわち、本発明の装置によれば、スイッチ要素は、スイッチ要素操作装置が所定のスイッチング状態に達するまでではなく、即時に作動させられる。その結果、スイッチ要素の実際の作動は、操作者によって作動させられた時にスイッチ要素の操作装置がスイッチング移動の所定の距離を進んだ時は常に一貫して、かつ即時に生じる。スイッチング移動が要する時間は重要ではない。安全の理由で、これはしばしば有意義かつ有利であるかもしれない。
【０００６】
従属請求項は本発明の有利なさらなる発展を規定している。
【発明を実施するための最良の形態】
【０００７】
本発明及びその実施形態をここで図に関して以下に説明する。
【０００８】
図１〜５において、スイッチ機構又はスイッチ要素を作動させるための本件アセンブリは１として参照され、作動させられるスイッチ要素は２として参照される。
【０００９】
アセンブリ１は、アセンブリ１のハウジング内で回転軸４に対して回転可能に取り付けられた操作装置３を備える。操作装置３は、スイッチ要素２に対面する側に、回転軸４に対し好ましくは垂直な方向で摺動移動可能にプランジャ又は圧力部材６を保持するガイド手段を有する。好ましくは、前記ガイド手段は、圧力部材６（好ましくは形状が円形円筒形）を摺動移動可能に取り付けるガイドスリーブ５の形態をしている。取付の目的で、圧力部材６は、回転軸４に対面する側に、ガイドスリーブ５の内壁面に沿って摺動するように適応された環状突起７を有する。
【００１０】
ガイドスリーブ５は、回転軸４とは反対に面する側に、内側に延び、（図１に図示された）中立状態において圧力部材６の外壁面と係合する環状突起８を有する。
【００１１】
圧力部材６は、スイッチ要素２に向かう方向で環状突起８の開口１１を通って延びる延長部１２を有する（図１Ｂ、２Ｂ、５Ｂ）。突起８の軸方向端部の高さに、肩部９が圧力部材６の外壁面と延長部１２との間に設けられており、この肩部９もまた好ましくは形状が環状であり、圧力部材６に対して直角な方向に延びている。
【００１２】
延長部１２の端部に、回転軸１３に対して回転可能に支持されたローラ１４が好適に設けられており、ローラの機能は以下でさらに詳細に説明する。
【００１３】
圧力部材６は、ガイド手段５内でスイッチ要素２に向かう方向でばね手段１５によってバイアスされている。ばね手段１５は好ましくは、操作要素３と圧力部材６との間で作用する圧縮ばねよりなる。
【００１４】
延長部１２の自由端は、そこに前述のローラ１４を有する代わりに、ローラ１４の表面と一致するようにその端部を丸められていてもよいことに留意しなければならない。
【００１５】
延長部１２の下に、スナップオーバすなわち傾斜部材１６（好ましくは円板又は板の形態で）が、保持部材１７を用いて本件アセンブリ１のハウジングに取り付けられている。傾斜部材１６は、図１に図示された中立状態においてローラ１４を受け入れるように適応されたくぼみ１８を有する。受入れくぼみ１８は、スイッチ要素２に向けて膨らみ、ホルダ１７の受入れ開口１９に突出する。開口１９の外周は、回転軸１３に平行な少なくとも一方の側で、好ましくは両側で、スナップオーバ要素１６が載るナイフ状縁端２０がくぼみ１８の両側に形成される。
【００１６】
スイッチ要素２の本体は都合よくは、ホルダ１７の環状部分２１が凹部２７に形成された肩部２２と係合するようにしてホルダ１７が挿入される好ましくは中心凹部２７を有することである。圧力部材６に面する側に、ホルダ１７は、縁端２０に隣接して、それぞれ縁端２０から凹部２７にかけて、圧力部材６の側壁から離れるほうに角度が付けられた斜面２３を有する。
【００１７】
操作部材、圧力部材、傾斜部材３、６、１６をそれぞれそれらの中立位置で示している図１から始まり、本発明のアセンブリ１の動作をここで説明する。図１に図示された中立状態において、圧力部材６の頂部はガイドスリーブ５の内壁面と圧力部材６の突起７との間で精確に保持され又は案内されるのに対し、その底部は圧力部材６の外壁面とガイドスリーブ５の突起との間で保持され又は案内される（図１Ａ、１Ｂ）。
【００１８】
最初に部材３を図１に図示された中立状態から矢印Ｐ２（図２）の方向で回転軸４に対して回転するように操作すると、圧力部材６はガイドスリーブ５と一緒にローラ１４がくぼみ１８から離れ始めるようにして動かされる（図２の矢印Ｐ２を参照）。この過程で、圧力部材６は、ばね１５の力に抗して上方に、すなわちガイドスリーブ５内に持ち上げられる。これが意味することは、ガイドスリーブ５の突起８と圧力部材６の肩部９との間で保持された延長部１２がガイドスリーブ５内で動かされ、図２Ｂに図示の通りガイドスリーブ５の突起８から離れて移動するということである。この過程で、ガイドスリーブ５内の圧力部材６は、ローラ１４を矢印Ｐ１の方向に移動させるために必要な圧力部材６の行程を許すように移動する。
【００１９】
図３、４は、ローラ１４がくぼみ１８から移動し続けて、操作要素３が矢印Ｐ２の方向に動き続けた時に操作手段３が不安定になり始める状態を示している。図３は、ばねでバイアスされた圧力部材６によってローラ１４を介して行使される力が依然、縁端２０のくぼみ１８を向いた側に作用している状態を示している。
【００２０】
図４は、前述の力が縁端２０のくぼみ１８から離れる側の方向で作用し、それにより傾斜部材１６が図５に図示の通りその傾斜状態で斜面２３に載るように縁端２０によって形成される線に関してスナップオーバ又は傾く状態を示している。この過程で、ばね部材１５に保存されたエネルギーは解放されてスイッチ要素２を即時に作動させる。
【００２１】
図２、３に図示されたガイドスリーブの位置から移行する際、圧力部材６は、図示の通りガイドスリーブ５の縦軸に対し横方向で傾斜することが好ましく、それによって傾斜要素１６の傾斜移動は加速される。
【００２２】
矢印Ｐ２の方向の反対に操作要素３を動かすことにより図１に図示された中立状態を回復する。
【図面の簡単な説明】
【００２３】
【図１】スイッチ要素を作動させるための本発明の装置の断面を示しており、アセンブリはその中立開始位置にある。
【図２】スイッチング操作における種々の中間状態にある図１の本発明の装置を示しており、スイッチ要素の作動状態はまだ達成されていない。
【図３】スイッチング操作における種々の中間状態にある図１の本発明の装置を示しており、スイッチ要素の作動状態はまだ達成されていない。
【図４】スイッチング操作における種々の中間状態にある図１の本発明の装置を示しており、スイッチ要素の作動状態はまだ達成されていない。
【図５】図４の本発明の装置を示しており、スイッチ要素は即時に作動させられ作動位置が達成されている。
【符号の説明】
【００２４】
１  アセンブリ、２  スイッチ要素、３  操作装置、４  回転軸、５  ガイドスリーブ、６  圧力部材、７  環状突起、８  環状突起、９  肩部、１１  開口、１２  延長部、１３  回転軸、１４  ローラ、１５  ばね手段、１６  傾斜部材、１７  保持部材、１８  くぼみ、１９  開口、２０  ナイフ状縁端、２１  環状部分、２２  肩部、２３  斜面、２７  凹部
【図１】
2008288206.tif 000003
【図２】
2008288206.tif 000004
【図３】
2008288206.tif 000005
【図４】
2008288206.tif 000006
【図５】
2008288206.tif 000007